(57)【特許請求の範囲】
【請求項１】
複数のエリアに区分される車両を含む広告データ配信システムであって、
前記複数のエリアの各々において表示される広告に対応する広告データを記憶する広告データ記憶手段と、
前記複数のエリアの各々に設けられ、携帯端末から前記携帯端末を識別するための端末識別情報を受信する複数の非接触通信手段と、
前記複数のエリアのうち前記携帯端末が存在するエリアを判別するエリア判別手段と、
前記複数のエリアの各々に、前記広告データ記憶手段に記憶された広告データを対応付けて管理するとともに、前記エリア判別手段によって判別されたエリアに対応付けられた広告データを前記広告データ記憶手段から取得する広告データ管理手段と、
前記広告データ管理手段によって取得された前記広告データを、前記端末識別情報に基づいて前記携帯端末に配信する広告データ配信手段と、
を備え、
前記広告データ管理手段は、前記エリア判別手段によって判別されたエリア及び当該エリアから予め定められた範囲内に含まれるエリアである周辺エリアの各々に対応付けられた広告データを前記広告データ記憶手段から取得し、
前記広告データ配信手段は、前記広告データ管理手段によって取得された前記広告データの各々を、前記広告データに対応付けられたエリアが前記エリア判別手段によって判別されたエリアから離れるに従い当該広告データの表示サイズが小さくなるように、前記携帯端末に表示させるための表示データを生成し、前記表示データを前記携帯端末に配信することを特徴とする広告データ配信システム。
【請求項２】
前記非接触通信手段は、前記端末識別情報を受信した際に、前記非接触通信手段を識別するための通信手段識別情報を前記エリア判別手段に送信し、
前記エリア判別手段は、前記複数の非接触通信手段の通信手段識別情報の各々と当該非接触通信手段が設けられたエリアとを対応付けて管理し、前記非接触通信手段から受信した前記通信手段識別情報に対応付けられたエリアを前記携帯端末が存在するエリアと判別することを特徴とする請求項１に記載の広告データ配信システム。
【請求項３】
前記非接触通信手段は、前記携帯端末がかざされることにより、前記携帯端末から前記端末識別情報を受信することを特徴とする請求項１または請求項２に記載の広告データ配信システム。
【請求項４】
前記複数のエリアの各々に設けられた、広告データを表示する複数の表示手段をさらに備え、
前記広告データ配信手段は、前記複数の表示手段のうち、前記エリア判別手段によって判別されたエリアの表示手段に前記広告データを配信することを特徴とする請求項１〜請求項３のいずれか一項に記載の広告データ配信システム。
【請求項５】
前記広告データ記憶手段に記憶された広告データは、前記広告データに関連するウェブサイトのＵＲＬ情報を含むことを特徴とする請求項１〜請求項４のいずれか一項に記載の広告データ配信システム。
【請求項６】
前記非接触通信手段は、吊革または座席に設けられていることを特徴とする請求項１〜請求項５のいずれか一項に記載の広告データ配信システム。
【請求項７】
前記車両は、前記広告データ記憶手段を備え、
前記広告データ記憶手段は、前記複数のエリアの各々において表示される広告に対応する広告データを予め受信し、受信した前記広告データを記憶することを特徴とする請求項１〜請求項６のいずれか一項に記載の広告データ配信システム。
【請求項８】
前記車両に広告データを送信する広告データサーバをさらに備え、
前記広告データサーバは、前記広告データ記憶手段と、前記広告データ管理手段と、を備えることを特徴とする請求項１〜請求項６のいずれか一項に記載の広告データ配信システム。
【請求項９】
複数のエリアに区分される車両の前記複数のエリアの各々において表示される広告に対応する広告データを記憶する広告データ記憶手段と、前記複数のエリアの各々に前記広告データ記憶手段に記憶された広告データを対応付けて管理する広告データ管理手段と、を含む広告データ配信システムにおける広告データ配信方法であって、
前記複数のエリアの各々に設けられた複数の非接触通信手段のいずれかによって、携帯端末から前記携帯端末を識別するための端末識別情報を受信する端末識別情報受信ステップと、
前記複数のエリアのうち前記携帯端末が存在するエリアを判別するエリア判別ステップと、
前記エリア判別ステップにおいて判別されたエリアに対応付けられた広告データを前記広告データ記憶手段から取得する広告データ取得ステップと、
前記広告データ取得ステップにおいて取得された前記広告データを、前記端末識別情報に基づいて前記携帯端末に配信する広告データ配信ステップと、
を備え、
前記広告データ取得ステップでは、前記エリア判別ステップにおいて判別されたエリア及び当該エリアから予め定められた範囲内に含まれるエリアである周辺エリアの各々に対応付けられた広告データを前記広告データ記憶手段から取得し、
前記広告データ配信ステップでは、前記広告データ取得ステップにおいて取得された前記広告データの各々を、前記広告データに対応付けられたエリアが前記エリア判別ステップにおいて判別されたエリアから離れるに従い当該広告データの表示サイズが小さくなるように、前記携帯端末に表示させるための表示データを生成し、前記表示データを前記携帯端末に配信することを特徴とする広告データ配信方法。
【発明の詳細な説明】
【技術分野】
【０００１】
本発明は、広告データ配信システムおよび広告データ配信方法に関する。
【背景技術】
【０００２】
従来、電車などの車両において、紙媒体の中吊り広告により広告を行う方法が知られている。また、紙媒体の中吊り広告だけでなく、車両に広告データを配信し、車両内の表示装置に広告データを表示する広告データ配信システムがある（例えば、特許文献１参照）。
【先行技術文献】
【特許文献】
【０００３】
【特許文献１】特開２００３−９９６７０号公報
【発明の概要】
【発明が解決しようとする課題】
【０００４】
しかしながら、中吊り広告および広告データを表示するための表示装置は、車両内の予め定められた位置に設けられているため、中吊り広告および表示装置から離れた位置の乗客は、広告内の小さい文字を視認するのが困難である。
【０００５】
そこで本発明は、このような問題点を解決するために、乗客による広告の視認性を向上する広告データ配信システムおよび広告データ配信方法を提供することを目的とする。
【課題を解決するための手段】
【０００６】
上記課題を解決するため、本発明の広告データ配信システムは、複数のエリアに区分される車両を含む広告データ配信システムである。広告データ配信システムは、複数のエリアの各々において表示される広告に対応する広告データを記憶する広告データ記憶手段と、複数のエリアの各々に設けられ、携帯端末から携帯端末を識別するための端末識別情報を受信する複数の非接触通信手段と、複数のエリアのうち携帯端末が存在するエリアを判別するエリア判別手段と、複数のエリアの各々に、広告データ記憶手段に記憶された広告データを対応付けて管理するとともに、エリア判別手段によって判別されたエリアに対応付けられた広告データを広告データ記憶手段から取得する広告データ管理手段と、広告データ管理手段によって取得された広告データを、端末識別情報に基づいて携帯端末に配信する広告データ配信手段と、を備える。広告データ管理手段は、エリア判別手段によって判別されたエリア及び当該エリアから予め定められた範囲内に含まれるエリアである周辺エリアの各々に対応付けられた広告データを広告データ記憶手段から取得する。広告データ配信手段は、広告データ管理手段によって取得された広告データの各々を、広告データに対応付けられたエリアがエリア判別手段によって判別されたエリアから離れるに従い当該広告データの表示サイズが小さくなるように、携帯端末に表示させるための表示データを生成し、表示データを携帯端末に配信する。
【０００７】
また、本発明の広告データ配信方法は、複数のエリアに区分される車両の複数のエリアの各々において表示される広告に対応する広告データを記憶する広告データ記憶手段と、複数のエリアの各々に広告データ記憶手段に記憶された広告データを対応付けて管理する広告データ管理手段と、を含む広告データ配信システムにおける広告データ配信方法である。広告データ配信方法は、複数のエリアの各々に設けられた複数の非接触通信手段のいずれかによって、携帯端末から携帯端末を識別するための端末識別情報を受信する端末識別情報受信ステップと、複数のエリアのうち携帯端末が存在するエリアを判別するエリア判別ステップと、エリア判別ステップにおいて判別されたエリアに対応付けられた広告データを広告データ記憶手段から取得する広告データ取得ステップと、広告データ取得ステップにおいて取得された広告データを、端末識別情報に基づいて携帯端末に配信する広告データ配信ステップと、を備える。広告データ取得ステップでは、エリア判別ステップにおいて判別されたエリア及び当該エリアから予め定められた範囲内に含まれるエリアである周辺エリアの各々に対応付けられた広告データを広告データ記憶手段から取得する。広告データ配信ステップでは、広告データ取得ステップにおいて取得された広告データの各々を、広告データに対応付けられたエリアがエリア判別ステップにおいて判別されたエリアから離れるに従い当該広告データの表示サイズが小さくなるように、携帯端末に表示させるための表示データを生成し、表示データを携帯端末に配信する。
【０００８】
本発明によれば、車両の複数のエリアのうち携帯端末が存在するエリアが判別され、そのエリアにおいて表示されている広告に対応する広告データが、広告データ記憶手段から取得され、携帯端末に配信される。このため、情報が表示されている場所から離れていても、その表示されている広告に対応する広告データが携帯端末に配信される。その結果、携帯端末のユーザは、携帯端末に配信された広告データによってその詳細を確認することが可能となる。さらに、携帯端末が存在するエリアにおいて表示されている広告に対応する広告データに加えて、携帯端末が存在するエリアの周辺エリアにおいて表示されている広告に対応する広告データが携帯端末に配信される。このため、携帯端末のユーザは、携帯端末に配信された広告データによって、周辺エリアにおいて表示されている広告の詳細を確認することが可能となる。
【０００９】
非接触通信手段は、端末識別情報を受信した際に、非接触通信手段を識別するための通信手段識別情報をエリア判別手段に送信してもよい。また、エリア判別手段は、複数の非接触通信手段の通信手段識別情報の各々と、当該非接触通信手段が設けられたエリアとを対応付けて管理し、非接触通信手段から受信した通信手段識別情報に対応付けられたエリアを携帯端末が存在するエリアと判別してもよい。この構成によれば、携帯端末から端末識別装置を受信した非接触通信手段が設けられたエリアを判別することによって、携帯端末が存在するエリアを判別することができる。
【００１０】
非接触通信手段は、携帯端末がかざされることにより、携帯端末から端末識別情報を受信してもよい。この構成によれば、携帯端末のユーザは、非接触通信手段に携帯端末をかざすだけの簡単な操作で、携帯端末が存在するエリア、すなわちユーザが存在するエリアにおいて表示されている広告に対応する広告データを取得できる。
【００１１】
広告データ配信システムは、複数のエリアの各々に設けられた、広告データを表示する複数の表示手段をさらに備えてもよい。また、広告データ配信手段は、複数の表示手段のうち、エリア判別手段によって判別されたエリアの表示手段に広告データを配信してもよい。この構成によれば、携帯端末が存在するエリアの表示手段に、そのエリアにおいて表示されている広告に対応する広告データを表示することができる。このため、携帯端末が存在するエリア内の他のユーザ（乗客）にも、広告データを視認させることができ、広告データの認知度の向上が可能となる。
【００１２】
広告データ記憶手段に記憶された広告データは、広告データに関連するウェブサイトのＵＲＬ情報を含んでもよい。この構成によれば、関連するウェブサイトのＵＲＬ情報を含む広告データが携帯端末に配信される。このため、携帯端末のユーザは、広告データに含まれるＵＲＬ情報によりインターネット上の関連ウェブサイトにアクセスできる。
【００１３】
非接触通信手段は、吊革または座席に設けられてもよい。この構成によれば、吊革または座席に設けられた非接触通信手段と携帯端末とを非接触通信させるだけで、携帯端末の存在するエリアに表示されている広告に対応する広告データが携帯端末に配信される。このため、携帯端末のユーザは、吊革につかまって立っていても、座席に座っていても、ユーザが存在するエリアに表示されている広告に対応する広告データを容易に取得できる。
【００１５】
車両は、広告データ記憶手段を備えてもよい。この場合、広告データ記憶手段は、複数のエリアの各々において表示される広告に対応する広告データを予め受信し、受信した広告データを記憶してもよい。この構成によれば、車両内の広告データ記憶手段から広告データが取得され、取得された広告データが携帯端末に配信される。このため、ネットワークの切断などによって、車両が外部のサーバから広告データを受信できない場合であっても、広告データの配信が可能となる。
【００１６】
広告データ配信システムは、車両に広告データを送信する広告データサーバをさらに備えてもよい。この場合、広告データサーバは、広告データ記憶手段と、広告データ管理手段と、を備えてもよい。この構成によれば、広告データサーバにおいて、広告データが管理されるので、広告データの更新などの保守管理は広告データサーバにおいて行われればよい。このため、広告データの保守管理の容易化が可能となる。
【発明の効果】
【００１７】
本発明によれば、乗客による広告データの視認性を向上することができる。
【図面の簡単な説明】
【００１８】
【図１】本発明の実施形態に係る広告データ配信システムの構成を概略的に示す図である。
【図２】図１の広告データ配信システムの機能構成を示す図である。
【図３】車両エリア管理テーブルの一例を示す図である。
【図４】広告データ管理テーブルの一例を示す図である。
【図５】図１の広告データ配信システムの広告データ配信動作を示すシーケンス図である。
【図６】図１の携帯端末における表示例を示す図である。
【発明を実施するための形態】
【００１９】
以下、添付図面を参照して、本発明の実施形態を詳細に説明する。なお、図面の説明において同一又は相当要素には同一の符号を付し、重複する説明を省略する。
【００２０】
図１は、本実施形態に係る広告データ配信システムの構成を概略的に示す図である。図１に示されるように、広告データ配信システム１０は、携帯端末１、車両２および広告データサーバ３を含んで構成されており、車両２内の携帯端末１に広告データを配信するシステムである。ここで、広告データとは、車両２内に設けられた紙媒体の広告（例えば、中吊り広告）に対応する電子データである。
【００２１】
携帯端末１は、広告データを取得して、取得した広告データを表示する装置である。この携帯端末１は、例えば、携帯電話、スマートフォン、ＰＤＡ（Personal  Digital  Assistants）およびノートＰＣなどの装置である。携帯端末１は、物理的には、ＦｅｌｉＣａ（登録商標）およびＮＦＣ（Near  Field  Communication）などの近距離無線通信モジュールと、無線ＬＡＮ（Local  Area  Network）などのデータ送受信デバイスである通信モジュールと、液晶ディスプレイなどの表示デバイスと、携帯端末１の識別情報である端末ＩＤ（端末識別情報）を格納したＲＯＭ（Read  Only  Memory）などの記憶デバイスと、を備えた装置である。これらの構成要素が動作することにより、後述する携帯端末１の各機能が発揮される。また、端末ＩＤは、例えば携帯端末１の製造番号など携帯端末１を識別可能な情報である。
【００２２】
車両２は、後述する広告データサーバ３に広告データ取得要求を送信し、広告データサーバ３から取得した広告データを車内の携帯端末１などに送信する移動体である。この車両２は、例えば、電車、新幹線、バスおよび船舶などの移動体である。また、車両２は、複数の吊革４（非接触通信手段）と、複数の座席５（非接触通信手段）と、車両装置６と、複数のモニタ７（表示手段）と、を備えている。車両２の車内は複数のエリアに分割されており、エリア毎に吊革４、座席５およびモニタ７が設けられている。
【００２３】
吊革４は、一般的な吊革の形状を有し、物理的には、ＦｅｌｉＣａおよびＮＦＣなどの近距離無線通信モジュールと、無線ＬＡＮなどの通信モジュールと、吊革４の識別情報である吊革ＩＤ（通信手段識別情報）を格納したＲＯＭなどの記憶デバイスと、をさらに備えている。これらの構成要素が動作することにより、後述する吊革４の各機能が発揮される。
【００２４】
座席５は、一般的な座席の形状を有し、物理的には、ＦｅｌｉＣａおよびＮＦＣなどの近距離無線通信モジュールと、無線ＬＡＮなどの通信モジュールと、座席５の識別情報である座席ＩＤ（通信手段識別情報）を格納するＲＯＭなどの記憶デバイスと、をさらに備えている。これらの構成要素が動作することにより、後述する座席５の各機能が発揮される。各エリアには、少なくとも１つの吊革４および座席５が設けられている。なお、座席５は、座席自体に直接設けられる必要はなく、座席に対応した位置に設けられてもよい。例えば、グリーン車両においては、座席に対応して非接触通信装置が予め設けられていることがある。
【００２５】
車両装置６は、広告データサーバ３に広告データ取得要求を送信し、広告データサーバ３から広告データを取得するための装置である。車両装置６は、例えばサーバ装置などの情報処理装置から構成され、通常の情報処理装置の基本構成、すなわち、ＣＰＵ（Central  Processing  Unit）、ＲＡＭ（Random  Access  Memory）、ＲＯＭ、車内および外部との通信を行う無線ＬＡＮなどの通信モジュール、情報を記憶する記憶デバイスなどのハードウェアを備えている。これらの構成要素が動作することにより、後述する車両装置６の各機能が発揮される。モニタ７は、広告データを表示する表示デバイスであって、例えば液晶ディスプレイなどの表示デバイスである。また、モニタ７は、無線ＬＡＮなどの通信モジュールをさらに備える。各エリアには、少なくとも１つのモニタ７が設けられており、エリア内の乗客が視聴可能な位置に配置されている。
【００２６】
広告データサーバ３は、車両２から送信された広告データ取得要求に応じて、車両２に広告データを送信する装置である。広告データサーバ３は、例えばサーバ装置などの情報処理装置から構成され、ＣＰＵ、ＲＡＭ、ＲＯＭ、外部との通信を行う無線ＬＡＮなどの通信モジュール、情報を記憶する記憶デバイスなどのハードウェアを備えている。これらの構成要素が動作することにより、後述する広告データサーバ３の各機能が発揮される。なお、車両２と広告データサーバ３とは、ネットワークＮＷを介して通信接続されている。
【００２７】
次に、広告データ配信システム１０の機能構成について説明する。図２は、広告データ配信システム１０の機能構成を示す図である。図２に示されるように、携帯端末１は、機能的には、端末ＩＤ送信部１１と、広告データ受信部１２と、表示部１３と、を備えている。端末ＩＤ送信部１１は、後述する吊革４の端末ＩＤ受信部４１または座席５の端末ＩＤ受信部５１に携帯端末１を識別するための端末ＩＤを送信する端末識別情報送信手段として機能する。この端末ＩＤ送信部１１は、端末ＩＤ受信部４１または端末ＩＤ受信部５１との間で近距離無線通信による非接触通信を行う。端末ＩＤ送信部１１は、吊革４または座席５に携帯端末１がかざされると、端末ＩＤ受信部４１または端末ＩＤ受信部５１と相互認証を行って、端末ＩＤ受信部４１または端末ＩＤ受信部５１に携帯端末１の端末ＩＤを送信する。
【００２８】
広告データ受信部１２は、携帯端末１の存在する車両２のエリアに応じた広告データを、後述する車両２の車両装置６から受信する広告データ受信手段として機能する。表示部１３は、広告データ受信部１２によって受信された広告データを表示する表示手段として機能する。なお、吊革４または座席５などの非接触通信装置に携帯端末１を「かざす」とは、携帯端末１と非接触通信装置とが近距離無線通信により相互に通信可能な距離に、携帯端末１を近づけることを意味する。この「かざす」という動作は、「タッチする」と表現される場合もある。
【００２９】
吊革４は、機能的には、端末ＩＤ受信部４１と、端末情報送信部４２と、を備えている。端末ＩＤ受信部４１は、携帯端末１から端末ＩＤを受信する端末識別情報受信手段として機能する。この端末ＩＤ受信部４１は、携帯端末１の端末ＩＤ送信部１１との間で近距離無線通信による非接触通信を行う。端末ＩＤ受信部４１は、吊革４に携帯端末１がかざされると、端末ＩＤ送信部１１と相互認証を行って、端末ＩＤ送信部１１から携帯端末１の端末ＩＤを受信する。端末情報送信部４２は、端末ＩＤ受信部４１によって受信された端末ＩＤに、吊革４の吊革ＩＤを付加し、端末情報として車両装置６に出力する。
【００３０】
座席５は、機能的には、端末ＩＤ受信部５１と、端末情報送信部５２と、を備えている。端末ＩＤ受信部５１は、携帯端末１から端末ＩＤを受信する端末識別情報受信手段として機能する。この端末ＩＤ受信部５１は、携帯端末１の端末ＩＤ送信部１１との間で近距離無線通信による非接触通信を行う。端末ＩＤ受信部５１は、座席５に携帯端末１がかざされると、端末ＩＤ送信部１１と相互認証を行って、端末ＩＤ送信部１１から携帯端末１の端末ＩＤを受信する。端末情報送信部５２は、端末ＩＤ受信部５１によって受信された端末ＩＤに、座席５の座席ＩＤを付加し、端末情報として車両装置６に出力する。
【００３１】
車両装置６は、機能的には、端末情報受信部６１と、エリア判別部６２（エリア判別手段）と、広告データ取得要求送信部６３（広告データ取得要求送信手段）と、広告データ受信部６４（広告データ受信手段）と、車内広告データ配信部６５（広告データ配信手段）と、を備えている。端末情報受信部６１は、吊革４の端末情報送信部４２および座席５の端末情報送信部５２から端末情報を受信する端末情報受信手段として機能する。端末情報受信部６１は、受信した端末情報をエリア判別部６２に送信する。エリア判別部６２は、複数のエリアのうち携帯端末１が存在するエリアを判別するエリア判別手段として機能する。このエリア判別部６２は、車両エリア管理テーブルに基づいて、携帯端末１が存在するエリアを判別する。
【００３２】
図３は、車両エリア管理テーブルの一例を示す図である。図３に示されるように、車両エリア管理テーブルには、車両ＩＤと非接触通信装置ＩＤと車両エリアＩＤ（エリア識別情報）とが対応付けられて記憶されている。車両ＩＤは、車両２を識別するための識別情報である。非接触通信装置ＩＤは、吊革４、座席５などの非接触通信装置を識別するための識別情報であって、吊革ＩＤおよび座席ＩＤが含まれる。車両エリアＩＤは、車両２と車両２内のエリアとを識別するための識別情報である。例えば、車両エリアＩＤ「１−Ａ」は、車両ＩＤ「１」の車両２のエリアＡを示す。また、車両エリア管理テーブルには、車両２内に含まれるすべての非接触通信装置の非接触通信装置ＩＤが登録されている。そして、非接触通信装置が配置された車両２内のエリアと対応付けられている。
【００３３】
例えば、非接触通信装置ＩＤ「吊革Ａ１」、「吊革Ａ２」、「吊革Ａ３」、「座席Ａ１」、「座席Ａ２」、「座席Ａ３」は、車両エリアＩＤ「１−Ａ」に対応付けられている。これは、非接触通信装置ＩＤ「吊革Ａ１」の吊革４、非接触通信装置ＩＤ「吊革Ａ２」の吊革４、非接触通信装置ＩＤ「吊革Ａ３」の吊革４、非接触通信装置ＩＤ「座席Ａ１」の座席５、非接触通信装置ＩＤ「座席Ａ２」の座席５、および、非接触通信装置ＩＤ「座席Ａ３」の座席５が、車両ＩＤ「１」の車両２のエリアＡに配置されていることを示す。この車両エリア管理テーブルは、例えば車両２の管理者によって、エリア判別部６２に予め設定されている。
【００３４】
エリア判別部６２は、端末情報受信部６１から受信した端末情報に含まれる吊革ＩＤまたは座席ＩＤを抽出する。また、エリア判別部６２は、車両エリア管理テーブルを検索し、抽出した吊革ＩＤまたは座席ＩＤに対応付けられた車両エリアＩＤを取得する。また、エリア判別部６２は、端末情報受信部６１から受信した端末情報に含まれる端末ＩＤを抽出する。そして、エリア判別部６２は、取得した車両エリアＩＤと、抽出した端末ＩＤと、を広告データ取得要求送信部６３に送信する。このように、エリア判別部６２は、携帯端末１がかざされた非接触通信装置の配置エリアを、携帯端末１が存在するエリアとして判別している。
【００３５】
広告データ取得要求送信部６３は、エリア判別部６２から受信した車両エリアＩＤを含む広告データ取得要求を、広告データサーバ３に送信する広告データ取得要求送信手段として機能する。ここでは、広告データ取得要求送信部６３は、エリア判別部６２から受信した端末ＩＤと車両エリアＩＤとを含む広告データ取得要求を広告データサーバ３に送信する。広告データ受信部６４は、広告データサーバ３から広告データを受信する広告データ受信手段として機能する。広告データ受信部６４は、車両エリアＩＤと端末ＩＤとともに広告データを広告データサーバ３から受信し、車両エリアＩＤと端末ＩＤと広告データとを車内広告データ配信部６５に送信する。
【００３６】
車内広告データ配信部６５は、広告データ受信部６４から受信した広告データを端末ＩＤに基づいて携帯端末１に配信する広告データ配信手段として機能する。また、車内広告データ配信部６５は、車両エリアＩＤとモニタ７の識別情報であるモニタＩＤとを対応付けたモニタ管理テーブルを備えてもよい。この場合、車内広告データ配信部６５は、モニタ管理テーブルを検索して、広告データ受信部６４から受信した車両エリアＩＤに対応付けられたモニタＩＤを取得し、取得したモニタＩＤのモニタ７に、広告データ受信部６４から受信した広告データを配信してもよい。
【００３７】
モニタ７は、機能的には、広告データ受信部７１と、表示部７２と、を備えている。広告データ受信部７１は、携帯端末１の存在する車両２のエリアに応じた広告データを、車両装置６から受信する広告データ受信手段として機能する。表示部７２は、広告データ受信部７１によって受信された広告データを表示する表示手段として機能する。
【００３８】
広告データサーバ３は、機能的には、広告データ取得要求受信部３１（広告データ取得要求受信手段）と、広告データＤＢ３２（広告データ記憶手段）と、広告データ管理部３３（広告データ管理手段）と、広告データ送信部３４（広告データ送信手段）と、を備えている。広告データ取得要求受信部３１は、広告データ取得要求を受信する広告データ取得要求受信手段として機能する。広告データ取得要求受信部３１は、車両２の広告データ取得要求送信部６３から広告データ取得要求を受信し、その広告データ取得要求を広告データ管理部３３に送信する。広告データＤＢ３２は、複数のエリアの各々において表示されている広告に対応する広告データを記憶する広告データ記憶手段として機能する。例えば、車両２の各エリアに設けられた中吊り広告の内容は決まっているので、広告データＤＢ３２に記憶される広告データは、車両２の各エリアに設けられた中吊り広告に対応する広告データであってもよい。
【００３９】
広告データ管理部３３は、車両２の複数のエリアの各々に、広告データＤＢ３２に記憶された広告データを対応付けて管理するとともに、広告データ取得要求に含まれる車両エリアＩＤによって識別されるエリアに対応付けられた広告データを広告データＤＢ３２から取得する広告データ管理手段として機能する。この広告データ管理部３３は、広告データ管理テーブルに基づいて広告データＤＢ３２から広告データを取得する。
【００４０】
図４は、広告データ管理テーブルの一例を示す図である。図４に示されるように、広告データ管理テーブルには、車両エリアＩＤと広告データＩＤとが対応付けられて記憶されている。広告データＩＤは、広告データを識別するための識別情報である。例えば、車両エリアＩＤ「１−Ａ」に、広告データＩＤ「ＡＤ１」が対応付けられている。これは、車両ＩＤ「１」の車両２のエリアＡに設けられている中吊り広告に対応する広告データが、広告データＩＤ「ＡＤ１」の広告データであることを示す。この広告データ管理テーブルは、例えば広告データサーバ３の管理者によって、広告データ管理部３３に予め設定されている。
【００４１】
広告データ管理部３３は、広告データ取得要求受信部３１から受信した広告データ取得要求に含まれる車両エリアＩＤを抽出する。また、広告データ管理部３３は、広告データ管理テーブルを検索し、抽出した車両エリアＩＤに対応付けられた広告データＩＤを取得する。また、広告データ管理部３３は、取得した広告データＩＤによって識別される広告データを広告データＤＢ３２から取得し、取得した広告データを広告データ送信部３４に送信する。
【００４２】
広告データ送信部３４は、広告データ管理部３３によって取得された広告データを車両２に送信する広告データ送信手段として機能する。また、広告データ送信部３４は、広告データ取得要求受信部３１によって受信された広告データ取得要求に含まれる車両エリアＩＤと端末ＩＤとを広告データに付加して車両２に送信する。
【００４３】
（第１の広告データ配信方法）
続いて、上述した構成を有する広告データ配信システム１０の広告データ配信方法について説明する。図５は、広告データ配信システム１０の広告データ配信動作を示すシーケンス図である。図５に示されるように、まず、携帯端末１が車両２内の吊革４または座席５にかざされる（ステップＳ０１）。携帯端末１が吊革４にかざされた場合には、端末ＩＤ送信部１１は、携帯端末１がかざされた吊革４の端末ＩＤ受信部４１と相互認証を行う。携帯端末１が座席５にかざされた場合には、端末ＩＤ送信部１１は、携帯端末１がかざされた座席５の端末ＩＤ受信部５１と相互認証を行う。相互認証後、携帯端末１は、携帯端末１がかざされた吊革４または座席５に携帯端末１の端末ＩＤを送信する（ステップＳ０２，端末識別情報送信ステップ）。
【００４４】
次に、吊革４の端末ＩＤ受信部４１または座席５の端末ＩＤ受信部５１は、携帯端末１によって送信された端末ＩＤを受信し、吊革４の端末情報送信部４２または座席５の端末情報送信部４２は、端末ＩＤ受信部４１または端末ＩＤ受信部５１によって受信された端末ＩＤに吊革ＩＤまたは座席ＩＤ（非接触通信装置ＩＤ）を付加する（ステップＳ０３，端末識別情報受信ステップ）。そして、端末情報送信部４２または端末情報送信部５２は、端末ＩＤと非接触通信装置ＩＤとを端末情報として車両装置６に送信する（ステップＳ０４，端末情報送信ステップ）。
【００４５】
続いて、車両装置６の端末情報受信部６１は、端末情報送信部４２または端末情報送信部５２によって送信された端末情報を受信する。そして、エリア判別部６２は、端末情報受信部６１によって受信された端末情報から非接触通信装置ＩＤを抽出する。エリア判別部６２は、車両エリア管理テーブルに基づいて、抽出した非接触通信装置ＩＤに対応する車両エリアＩＤを取得する（ステップＳ０５，エリア判別ステップ）。そして、広告データ取得要求送信部６３は、端末情報に含まれている端末ＩＤと、車両エリアＩＤとを含む広告データ取得要求を広告データサーバ３に送信する（ステップＳ０６，広告データ取得要求送信ステップ）。
【００４６】
続いて、広告データサーバ３の広告データ取得要求受信部３１は、広告データ取得要求送信部６３によって送信された広告データ取得要求を受信する（広告データ取得要求受信ステップ）。そして、広告データ管理部３３は、広告データ取得要求受信部３１によって受信された広告データ取得要求から車両エリアＩＤを抽出する。また、広告データ管理部３３は、広告データ管理テーブルに基づいて、抽出した車両エリアＩＤに対応する広告データＩＤを取得する。広告データ管理部３３は、取得した広告データＩＤによって識別される広告データを広告データＤＢ３２から取得する（ステップＳ０７，広告データ取得ステップ）。そして、広告データ送信部３４は、広告データ取得要求受信部３１によって受信された広告データ取得要求に含まれる車両エリアＩＤと端末ＩＤとともに、広告データ管理部３３によって取得された広告データを車両２に送信する（ステップＳ０８，広告データ送信ステップ）。
【００４７】
続いて、車両装置６の広告データ受信部６４は、広告データ送信部３４によって送信された広告データと車両エリアＩＤと端末ＩＤとを受信する（広告データ受信ステップ）。そして、車内広告データ配信部６５は、広告データ受信部６４によって受信された端末ＩＤに基づいて送信先を判定する（ステップＳ０９，送信先判定ステップ）。このステップＳ０９において、車内広告データ配信部６５は、モニタ管理テーブルに基づいて、広告データ受信部６４によって受信された車両エリアＩＤに対応するモニタＩＤを取得し、取得したモニタＩＤのモニタ７を送信先に含めてもよい。そして、車内広告データ配信部６５は、送信先と判定された携帯端末１に端末ＩＤと広告データとを送信する（ステップＳ１０，広告データ配信ステップ）。また、車内広告データ配信部６５は、送信先と判定されたモニタ７に広告データを送信してもよい（ステップＳ１１，広告データ配信ステップ）。
【００４８】
続いて、携帯端末１の広告データ受信部１２は、車内広告データ配信部６５から送信された端末ＩＤと広告データとを受信し、表示部１３はその広告データを表示する（ステップＳ１２，広告データ表示ステップ）。また、モニタ７の広告データ受信部７１は、車内広告データ配信部６５から送信されたモニタＩＤと広告データとを受信し、表示部７２はその広告データを表示する（ステップＳ１３，広告データ表示ステップ）。そして、広告データ配信システム１０における広告データ配信動作が終了する。
【００４９】
（第２の広告データ配信方法）
携帯端末１が存在するエリアにおいて表示されている広告に対応する広告データに加えて、周辺エリアにおいて表示されている広告に対応する広告データが携帯端末１に配信されてもよい。ここで、周辺エリアとは、携帯端末１が存在するエリアを基準として、予め定められた範囲内のエリアであって、例えば携帯端末１が存在する車両内のエリアである。この場合の広告データ配信システム１０の広告データ配信方法の一例について、図５を参照して説明する。ステップＳ０１〜ステップＳ０４は上記説明と同じである。
【００５０】
ステップＳ０５において、エリア判別部６２は、非接触通信装置ＩＤに対応付けられた車両エリアＩＤに加えて、周辺の車両エリアＩＤを取得する。例えば、エリア判別部６２は、非接触通信装置ＩＤに対応付けられた車両ＩＤを取得し、車両ＩＤに対応付けられた全ての車両エリアＩＤを取得する。そして、広告データ取得要求送信部６３は、広告データ取得要求を広告データサーバ３に送信する（ステップＳ０６，広告データ取得要求送信ステップ）。この広告データ取得要求には、エリア判別部６２によって取得された複数の車両エリアＩＤが含まれる。
【００５１】
続いて、広告データサーバ３の広告データ取得要求受信部３１は、広告データ取得要求送信部６３によって送信された広告データ取得要求を受信する（広告データ取得要求受信ステップ）。そして、広告データ管理部３３は、広告データ取得要求受信部３１によって受信された広告データ取得要求から複数の車両エリアＩＤを抽出する。また、広告データ管理部３３は、広告データ管理テーブルに基づいて、抽出した複数の車両エリアＩＤのそれぞれに対応する広告データＩＤを取得する。広告データ管理部３３は、取得した複数の広告データＩＤのそれぞれによって識別される広告データを広告データＤＢ３２から取得する（ステップＳ０７，広告データ取得ステップ）。そして、広告データ送信部３４は、広告データ取得要求受信部３１によって受信された広告データ取得要求に含まれる複数の車両エリアＩＤと、広告データ管理部３３によって取得された複数の広告データとを対応付けて、端末ＩＤとともに車両２に送信する（ステップＳ０８，広告データ送信ステップ）。
【００５２】
続いて、車両装置６の広告データ受信部６４は、広告データ送信部３４によって送信された複数の広告データと複数の車両エリアＩＤと端末ＩＤとを受信する（広告データ受信ステップ）。また、車内広告データ配信部６５は、ステップＳ０５において取得された車両エリアＩＤのうち、非接触通信装置ＩＤに対応付けられた車両エリアＩＤを特定し、その車両エリアＩＤによって示されるエリアが携帯端末１が存在するエリアであると判定する。そして、車内広告データ配信部６５は、広告データ受信部６４から受信した複数の広告データに基づいて、携帯端末１の表示部１３に表示させるための表示データを生成する。車内広告データ配信部６５は、例えば、複数の広告データの各々に対応付けられた車両エリアＩＤの順に複数の広告データが表示部１３の左から右に向けて配列されるように表示データを生成する。また、車内広告データ配信部６５は、携帯端末１が存在するエリア（位置）に応じた表示データを生成する。例えば、携帯端末１が存在するエリアの広告データは、縦横の縮小率が等しくなるように表示され、他の広告データは、携帯端末１が存在するエリアから離れるに従い表示サイズが小さくなるように表示される。
【００５３】
車内広告データ配信部６５は、非接触通信装置ＩＤに対応付けられた車両エリアＩＤに基づいて送信先を判定する（ステップＳ０９，送信先判定ステップ）。このステップＳ０９において、車内広告データ配信部６５は、モニタ管理テーブルに基づいて、非接触通信装置ＩＤに対応付けられた車両エリアＩＤに対応するモニタＩＤを取得し、取得したモニタＩＤのモニタ７を送信先に含めてもよい。そして、車内広告データ配信部６５は、送信先と判定された携帯端末１に端末ＩＤと表示データとを送信する（ステップＳ１０，広告データ配信ステップ）。また、車内広告データ配信部６５は、送信先と判定されたモニタ７に、非接触通信装置ＩＤに対応付けられた車両エリアＩＤの広告データを送信してもよい（ステップＳ１１，広告データ配信ステップ）。
【００５４】
続いて、携帯端末１の広告データ受信部１２は、車内広告データ配信部６５から送信された端末ＩＤと表示データとを受信し、表示部１３はその表示データを表示する（ステップＳ１２，広告データ表示ステップ）。なお、車両装置６において表示データが生成されているが、携帯端末１において表示データが生成されてもよい。すなわち、ステップＳ１０において、車両装置６の車内広告データ配信部６５は、送信先と判定された携帯端末１に複数の広告データと複数の車両エリアＩＤと端末ＩＤとを送信してもよく、ステップＳ１２において、携帯端末１の広告データ受信部１２は、複数の広告データと複数の車両エリアＩＤとに基づいて表示データを生成してもよい。
【００５５】
図６は、第２の広告データ配信方法における携帯端末１の表示例を示す図である。この例では、車両ＩＤ「１」の車両には先頭から順に、車両エリアＩＤ「１−Ａ」、車両エリアＩＤ「１−Ｂ」、車両エリアＩＤ「１−Ｃ」、車両エリアＩＤ「１−Ｄ」、車両エリアＩＤ「１−Ｅ」で示される５つのエリア（以下、「エリア１−Ａ」、「エリア１−Ｂ」、「エリア１−Ｃ」、「エリア１−Ｄ」、「エリア１−Ｅ」という。）が存在し、携帯端末１がエリア１−Ｂに存在する場合について説明する。
【００５６】
図６に示されるように、携帯端末１が存在するエリアの広告データに加えて、その周辺エリアの広告データが、携帯端末１の位置に応じて表示される。この例では、携帯端末１が存在する車両ＩＤ「１」の車両内に含まれるエリアの広告データが、車両の前方のエリアから順に、表示部１３の左から右に向けて配列される。すなわち、エリア１−Ａの広告データＡＤ１、エリア１−Ｂの広告データＡＤ２、エリア１−Ｃの広告データＡＤ３、エリア１−Ｄの広告データＡＤ４およびエリア１−Ｅの広告データＡＤ５の順に配列される。また、携帯端末１がエリア１−Ｂに存在するので、広告データＡＤ２が最も大きく表示され、エリア１−Ｂから離れるに従い、その広告データの表示サイズが小さくなる。
【００５７】
例えば、図６の（ａ）に示されるように、各広告データは、携帯端末１が存在するエリアから離れるに従い、広告データの表示幅が小さくなるように表示されてもよい。この場合、携帯端末１が存在するエリア１−Ｂの広告データＡＤ２は、縦横の縮小比率が等しくなるように表示されるが、他のエリアの広告データは、表示幅に応じて幅方向に圧縮されて表示されてもよい。
【００５８】
例えば、図６の（ｂ）に示されるように、各広告データは、カバーフロー表示されてもよい。ここで、カバーフロー表示とは、複数の画像データを表示部の左から右に一列に配列させて表示する表示方法であって、複数の画像データのうち中心となる画像データは縦横の縮小比率が等しくなるように表示部の中心に表示され、中心の画像データよりも左側の画像データは左辺が長く、右辺が短い台形状に変形して表示され、中心の画像データよりも右側の画像データは左辺が短く、右辺が長い台形状に変形して表示される。この場合も、中心の画像データから離れるに従い、画像データの表示サイズは小さくなる。中心の画像データよりも左側または右側に複数の画像データが存在する場合、互いに隣り合う画像データのうち、中心の画像データから遠い画像データの中心側の一部が、中心の画像データから近い画像データに隠れるように表示されてもよい。
【００５９】
この例では、携帯端末１が存在するエリア１−Ｂの広告データＡＤ２は、表示部１３の中心において、縦横の縮小比率が等しくなるように表示される。広告データＡＤ１は、広告データＡＤ２の左側に配置され、左辺が長く、右辺が短い台形状に変形されて表示される。広告データＡＤ３は、広告データＡＤ２の右側に配置され、左辺が短く、右辺が長い台形状に変形されて表示される。広告データＡＤ４は、広告データＡＤ３の右側に配置され、左辺が短く、右辺が長い台形状に変形されて表示される。広告データＡＤ５は、広告データＡＤ４の右側に配置され、左辺が短く、右辺が長い台形状に変形されて表示される。
【００６０】
携帯端末１が存在するエリアにおいて表示されている広告に対応する広告データとともに表示する広告データは、携帯端末１が存在するエリアから予め定められた範囲内のエリアにおいて表示されている広告に対応する広告データであればよく、同じ車両の広告データだけでなく、他の車両の広告データを含んでもよい。この場合も、携帯端末１が存在するエリアからの距離に応じて、各広告データの表示サイズは調整されてもよい。さらに、携帯端末１において、いずれかの広告データがユーザによって選択されることにより、選択された広告データが拡大表示されてもよいし、各広告データは、選択された広告データに対応するエリアからの距離に応じた表示サイズに変更されて表示されてもよい。
【００６１】
次に、広告データ配信システム１０の作用効果について説明する。広告データ配信システム１０は、複数のエリアに区分される車両２と、車両２に広告データを送信する広告データサーバ３と、を含む。車両２は、複数のエリアの各々に設けられ、携帯端末１から端末ＩＤを受信する複数の吊革４および複数の座席５と、複数のエリアのうち携帯端末１が存在するエリアを判別するエリア判別部６２と、エリア判別部６２によって判別されたエリアを識別するための車両エリアＩＤを含む広告データ取得要求を、広告データサーバ３に送信する広告データ取得要求送信部６３と、広告データサーバ３から広告データを受信する広告データ受信部６４と、広告データ受信部６４によって受信された広告データを、端末ＩＤに基づいて携帯端末１に配信する車内広告データ配信部６５と、を備える。また、広告データサーバ３は、複数のエリアの各々において表示されている広告に対応する広告データを記憶する広告データＤＢ３２と、広告データ取得要求を受信する広告データ取得要求受信部３１と、複数のエリアの各々に、広告データＤＢ３２に記憶された広告データを対応付けて管理するとともに、広告データ取得要求に含まれる車両エリアＩＤによって識別されるエリアに対応付けられた広告データを広告データＤＢ３２から取得する広告データ管理部３３と、広告データ管理部３３によって取得された広告データを車両２に送信する広告データ送信部３４と、を備える。
【００６２】
これにより、車両２の複数のエリアのうち携帯端末１が存在するエリアが判別され、そのエリアにおいて表示されている広告に対応する広告データが、広告データサーバ３から車両２に送信され、携帯端末１に配信される。このため、情報が表示されている場所から離れていても、その表示されている広告に対応する広告データが携帯端末１に配信される。その結果、携帯端末１のユーザは、携帯端末１に配信された広告データによってその詳細を確認することが可能となる。
【００６３】
また、吊革４または座席５と携帯端末１とを非接触通信させるだけで、携帯端末１の存在するエリアに表示されている広告に対応する広告データが携帯端末１に配信される。このため、携帯端末１のユーザは、吊革４につかまって立っていても、座席５に座っていても、携帯端末１が存在するエリア、すなわちユーザが存在するエリアに表示されている広告に対応する広告データを容易に取得できる。
【００６４】
また、広告データサーバ３は、広告データＤＢ３２と、広告データ管理部３３と、を備えている。これにより、広告データサーバ３において、広告データが管理され、広告データの更新などの保守管理は広告データサーバ３において行われればよい。このため、広告データの保守管理の容易化が可能となる。
【００６５】
また、吊革４または座席５などの非接触通信装置は、端末ＩＤを受信した際に、非接触通信装置ＩＤをエリア判別部６２に送信してもよい。また、エリア判別部６２は、複数の非接触通信装置の非接触通信装置ＩＤの各々と、当該非接触通信装置が設けられたエリアとを対応付けた車両エリア管理テーブルを有し、非接触通信装置から受信した非接触通信装置ＩＤに対応付けられたエリアを携帯端末１が存在するエリアと判別してもよい。これによれば、携帯端末１から端末ＩＤを受信した非接触通信装置が設けられたエリアを判別することによって、携帯端末１が存在するエリアを判別することができる。
【００６６】
非接触通信装置は、携帯端末１がかざされることにより、携帯端末１から端末ＩＤを受信してもよい。これによれば、携帯端末１のユーザは、非接触通信装置に携帯端末１をかざすだけの簡単な操作で、ユーザが存在するエリアにおいて表示されている広告に対応する広告データを取得できる。
【００６７】
車両２は、複数のエリアの各々に設けられた複数のモニタ７をさらに備えてもよい。また、車内広告データ配信部６５は、複数のモニタ７のうち、車両エリアＩＤによって識別されるエリアのモニタ７に広告データを配信してもよい。これによれば、携帯端末１が存在するエリアのモニタ７に、そのエリアにおいて表示されている広告に対応する広告データを表示することができる。このため、携帯端末１が存在するエリア内の他のユーザ（乗客）にも、広告データを視認させることができる。その結果、他の乗客に対しても広告訴求が可能となり、広告の認知度の向上を効率的に行うことが可能となる。
【００６８】
また、広告データＤＢ３２に記憶される広告データは、車両２の各エリアに表示されている中吊り広告などの広告に対応する広告データであってもよい。これによれば、広告が表示されている場所から離れていても、その広告に対応する広告データが携帯端末１に配信される。その結果、携帯端末１のユーザは、携帯端末１に配信された広告データによってその詳細を確認することが可能となる。
【００６９】
広告データ管理部３３は、エリア判別部６２によって判別されたエリアから予め定められた範囲内に含まれるエリアの各々に対応付けられた広告データを広告データＤＢ３２から取得してもよい。車内広告データ配信部６５は、エリア判別部６２によって判別されたエリアに応じて、広告データ管理部３３によって取得された広告データを携帯端末１に表示させるための表示データを生成し、表示データを携帯端末１に配信してもよい。これによれば、携帯端末１のユーザは、携帯端末１が存在するエリアにおいて表示されている広告に対応する広告データに加えて、携帯端末１が存在するエリアの周辺エリアにおいて表示されている広告に対応する広告データが携帯端末１に配信される。このため、携帯端末１のユーザは、携帯端末１に配信された広告データによって、周辺エリアにおいて表示されている広告の詳細を確認することが可能となる。また、携帯端末１が存在するエリアに応じて、携帯端末１が存在するエリアおよびその周辺エリアの広告データが表示される。例えば、各広告データは、携帯端末１が存在するエリアから離れるに従い表示サイズが小さくなるように表示されるようにしてもよい。
【００７０】
なお、本発明に係る広告データ配信システムおよび広告データ配信方法は本実施形態に記載したものに限定されない。例えば、本実施形態においては、吊革４および座席５を非接触通信装置としているが、これに限られず、車両２内の他の部分に非接触通信装置を設けてもよい。
【００７１】
また、車両２が、電車などの複数の車両部からなる移動体である場合、各車両部とエリアとを対応させてもよいし、車両部内に複数のエリアを有してもよい。この場合、車両２には、１つの車両装置６が設けられていればよく、各車両部にそれぞれ車両ＩＤを付して、車両部内のエリアに車両エリアＩＤを付してもよい。
【００７２】
また、広告データＤＢ３２に記憶された広告データは、広告データに関連するウェブサイトのＵＲＬ情報を含んでもよい。この場合、関連するウェブサイトのＵＲＬ情報を含む広告データが携帯端末１に配信される。このため、携帯端末１のユーザは、広告データに含まれるＵＲＬ情報によりインターネット上の関連ウェブサイトにアクセスできる。そして、携帯端末１のユーザは、アクセスしたウェブサイトにおいて、例えばネットショッピングを行うこともできる。その結果、広告の認知度の向上とともに、広告データに含まれる商品の購入機会を携帯端末１のユーザに提供することが可能となる。
【００７３】
また、エリア判別部６２は、携帯端末１のＧＰＳ情報などの位置情報と、車両２の所定位置に設けられたＧＰＳ装置の位置情報とに基づいて、携帯端末１が存在するエリアを判別してもよい。
【００７４】
また、本実施形態では、広告データサーバ３は、広告データを配信しているが、これに限られない。複数のエリアの各々において表示されている広告に対応するコンテンツを記憶するコンテンツＤＢを備えるコンテンツサーバとしてもよく、携帯端末１が存在するエリアに対応するコンテンツを携帯端末１に配信するようにしてもよい。
【００７５】
また、車両装置６は、広告データＤＢ３２および広告データ管理部３３を備えてもよい。この場合、広告データＤＢ３２は、車両装置６が設けられている車両２内のエリアに対応付けられた広告データを、ネットワークＮＷ上の広告データサーバ３などから予め受信し、その広告データを記憶している。また、この場合、車両装置６は、広告データ取得要求送信部６３および広告データ受信部６４を備えていなくてもよい。すなわち、広告データ管理部３３は、エリア判別部６２によって判別されたエリアに対応付けられた広告データを広告データＤＢ３２から取得し、車内広告データ配信部６５は、広告データ管理部３３によって取得された広告データを、端末ＩＤに基づいて携帯端末１に配信してもよい。これによれば、車両２内の広告データＤＢ３２から広告データが取得され、携帯端末１に配信される。このため、車両２と外部のサーバとの間でネットワークＮＷが切断されるなどして、車両２が外部のサーバから広告データを受信できない場合であっても、広告データの配信が可能となる。
【符号の説明】
【００７６】
１…携帯端末、２…車両、３…広告データサーバ、４…吊革（非接触通信手段）、５…座席（非接触通信手段）、７…モニタ（表示手段）、１０…広告データ配信システム、３１…広告データ取得要求受信部（広告データ取得要求受信手段）、３２…広告データＤＢ（広告データ記憶手段）、３３…広告データ管理部（広告データ管理手段）、３４…広告データ送信部（広告データ送信手段）、６２…エリア判別部（エリア判別手段）、６３…広告データ取得要求送信部（広告データ取得要求送信手段）、６４…広告データ受信部（広告データ受信手段）、６５…車内広告データ配信部（広告データ配信手段）。
【図１】
0005536859.tif 000002
【図２】
0005536859.tif 000003
【図３】
0005536859.tif 000004
【図４】
0005536859.tif 000005
【図５】
0005536859.tif 000006
【図６】
0005536859.tif 000007